(57)【要約】【課題】耐震補強装置の取り付けに際し、柱の損傷を防ぐと共に、耐震補強装置を柱と土台横梁と基礎にかけて固定することで、基礎の上に配置されている土台横梁と柱の強度を維持することのできる耐震補強装置を提供する。【解決手段】本考案に係る耐震補強装置１は、柱Ｑと土台横梁Ｓに固定される柱当接補強部材２と、基礎Ｐに固定される基礎当接補強部材１０とから成り、柱当接補強部材２の下端部分と基礎当接補強部材１０の上端部分とを、連結手段Ｒを介して連結固定している。また、柱当接補強部材２のボルト挿通孔５は、左右千鳥状に設けられている。さらに、連結手段Ｒは、接続ボルト６と緩衝部材１２Ａ・１２Ｂとナット１４を備えている。【選択図】図１
0003105033.tif 000002
【実用新案登録請求の範囲】
【請求項１】
柱と土台横梁に固定される柱当接補強部材と、基礎に固定される基礎当接補強部材とから成り、柱当接補強部材の下端部分と基礎当接補強部材の上端部分とを、連結手段を介して連結固定したことを特徴とする耐震補強装置。
【請求項２】
連結手段は、接続ボルトと緩衝部材とナットを備えている請求項１に記載の耐震補強装置。
【請求項３】
柱当接補強部材は、複数のボルト挿通孔を設け、下端部分に接続ボルトを取り付けるための接続ボルト挿通孔を設けたベース部を備えている請求項１に記載の耐震補強装置。
【請求項４】
柱当接補強部材のボルト挿通孔は、左右千鳥状に設けられている請求項３に記載の耐震補強装置。
【請求項５】
柱当接補強部材のボルト挿通孔は、左右千鳥状に設けられている上方部分と、直線状に設けられている下方部分とから成る請求項３に記載の耐震補強装置。
【請求項６】
基礎当接補強部材は、上端部分に接続ボルトを取り付けるための接続ボルト挿通孔を設けたフランジ部を備えている請求項１に記載の耐震補強装置。
【請求項７】
柱当接補強部材の最下段に位置するボルト挿通孔を、土台横梁に当接するように配置している請求項１に記載の耐震補強装置。
【請求項８】
連結手段は、接続ボルトが、柱と土台横梁に固定された柱当接補強部材のベース部に設けた接続ボルト挿通孔に第１の緩衝部材を介して挿入され、基礎に固定された基礎当接補強部材のフランジ部に設けた接続ボルト挿通孔から下方へ引き出され、第２の緩衝部材を介してナットで締め付けて固定される請求項２に記載の耐震補強装置。
【請求項９】
基礎当接補強部材と、屋根の下方に位置する通し柱を、ワイヤーにより連結した請求項１、請求項６、請求項８に記載の耐震補強装置。
【請求項１０】
二つの基礎当接補強部材と、屋根の下方に位置する通し柱の二箇所を、ワイヤーを交差状に配して連結した請求項９に記載の耐震補強装置。
【考案の詳細な説明】
【技術分野】
【０００１】
本考案は、木造建築物における柱と基礎との接合部分、また、柱と土台横梁と基礎との接合部分が、地震等を原因として離脱したり、破壊されてしまう事態の発生を防止するために使用される耐震補強装置に関するものである。
【背景技術】
【０００２】
従来におけるこの種の耐震補強装置は、例えば、地震等により柱が土台横梁から引き抜かれる方向に力が生じることで土台柱が剪断されてしまう事態の発生を未然に防止するために、柱から土台横梁にかけて取り付けられる金属性板が使用されている。
【０００３】
この金属性板を柱に固定するために、帯板に沿ってボルト挿通孔が、上下方向に一列に設けられている。
【０００４】
このような金属性板を使用するときには、柱と土台横梁にかけて金属性板を配置し、ボルト挿通孔にボルトをねじ込んで、柱と土台横梁に金属性板を固定していた。
【特許文献１】特に無し
【考案の開示】
【考案が解決しようとする課題】
【０００５】
しかしながら、このような従来の金属性板では、帯板に配置されたボルト挿通孔が、上下方向に一列の直線状に設けられているため、新築の木造建築物に用いられている柱にボルトを用いて金属性板を固定する場合に、柱が割れ易い状態になっていた。
【０００６】
また、従来の金属性板は、柱と土台横梁にかけて配置されて柱と土台横梁の連結状態を維持しているが、柱と基礎、また、土台横梁と基礎については、何ら連結状態を維持するものではなかった。そのため、地震等を原因として、土台横梁が基礎から外れてしまったり、正しい取付位置からずれてしまう事態が生じていた。
【０００７】
そこで、本考案は如上のような従来存した諸事情に鑑み創案されたもので、耐震補強装置の取り付けに際し、柱の損傷を防ぐと共に、耐震補強装置を柱と土台横梁と基礎にかけて固定することで、基礎の上に配置されている土台横梁と柱の強度を維持することのできる耐震補強装置を提供することを目的とする。
【課題を解決するための手段】
【０００８】
上述した目的を達成するため、本考案に係る耐震補強装置は、柱と土台横梁に固定される柱当接補強部材と、基礎に固定される基礎当接補強部材とから成り、柱当接補強部材の下端部分と基礎当接補強部材の上端部分とを、連結手段を介して連結固定したことで、上述した課題を解決した。
【０００９】
また、連結手段は、接続ボルトと緩衝部材とナットを備えていることで、同じく上述した課題を解決した。
【００１０】
さらに、柱当接補強部材は、複数のボルト挿通孔を設け、下端部分に接続ボルトを取り付けるための接続ボルト挿通孔を設けたベース部を備えていることで、同じく上述した課題を解決した。
【００１１】
また、柱当接補強部材のボルト挿通孔は、左右千鳥状に設けられていることで、同じく上述した課題を解決した。
【００１２】
加えて、柱当接補強部材のボルト挿通孔は、左右千鳥状に設けられている上方部分と、直線状に設けられている下方部分とから成ることで、同じく上述した課題を解決した。
【００１３】
また、基礎当接補強部材は、上端部分に接続ボルトを取り付けるための接続ボルト挿通孔を設けたフランジ部を備えていることで、同じく上述した課題を解決した。
【００１４】
この他、柱当接補強部材の最下段に位置するボルト挿通孔を、土台横梁に当接するように配置していることで、同じく上述した課題を解決した。
【００１５】
また、連結手段は、接続ボルトが、柱と土台横梁に固定された柱当接補強部材のベース部に設けた接続ボルト挿通孔に第１の緩衝部材を介して挿入され、基礎に固定された基礎当接補強部材のフランジ部に設けた接続ボルト挿通孔から下方へ引き出され、第２の緩衝部材を介してナットで締め付けて固定されることで、同じく上述した課題を解決した。
【００１６】
さらに、基礎当接補強部材と、屋根の下方に位置する通し柱を、ワイヤーにより連結したことで、同じく上述した課題を解決した。
【００１７】
また、二つの基礎当接補強部材と、屋根の下方に位置する通し柱の二箇所を、ワイヤーを交差状に配して連結したことで、同じく上述した課題を解決した。
【考案の効果】
【００１８】
本考案は、以上のように構成されているために、耐震補強装置１における柱当接補強部材２を柱Ｑに取り付けるに際し、柱当接補強部材２に左右千鳥状に設けられたボルト挿通孔５を介してボルト１１をねじ込んだときに、柱Ｑが割損することがなく、安全且つ確実に柱当接補強部材２を柱Ｑに取り付けることができる。
【００１９】
また、耐震補強装置１を取り付けたときには、強い地震があった場合でも、柱Ｑが基礎Ｐから引き抜かれたり、基礎Ｐに固定している土台横梁Ｓの取付位置がずれてしまうような事態の発生を確実に防止し、地震に充分に耐え得る木造建築物を提供できる。
【００２０】
さらに、基礎当接補強部材１０と、屋根の下方に位置する通し柱を、ワイヤー１６により連結したときも、強い地震に充分に耐え得る木造建築物を提供できる。
【考案を実施するための最良の形態】
【００２１】
以下に、本考案を実施するための最良の形態を、図面を参照して説明する。本考案に係る耐震補強装置１は、図１・図２に示すように、柱Ｑと土台横梁Ｓに固定するための柱当接補強部材２と、基礎Ｐに固定するための基礎当接補強部材１０と、柱当接補強部材２の下端部分と基礎当接補強部材１０の上端部分とを連結固定する連結手段Ｒとから構成されている。
【００２２】
連結手段Ｒは、接続ボルト６と、接続ボルト６に巻装される第１および第２の緩衝部材１２Ａ・１２Ｂと、ナット１４を備えている。
【００２３】
柱当接補強部材２は、図１・図２に示すように、長尺状の帯板の下端部分に、略９０度の角度で板片を突出させたベース部３を備えている。このベース部３の両側には、帯板に連なる三角形の側片を設けて、ベース部３の強度を維持している。また、ベース部３の中央部には、接続ボルト６を挿通するための接続ボルト挿通孔４が設けられている。
【００２４】
さらに、柱当接補強部材２の帯板を柱Ｑに固定するために、帯板の長手方向に沿って、例えば、直径１８ｍｍの４個のボルト挿通孔５を、左右千鳥状に設けている。すなわち、帯板の左側に上下二つのボルト挿通孔５を設け、この左側のボルト挿通孔５のそれぞれに対して、下方へ等間隔に位置をずらした状態で、右側に上下二つのボルト挿通孔５を設けている。加えて、柱当接補強部材２の下部には、帯板の中央部に、ボルト挿通孔５を設けている。この他、帯板の周囲部分に、釘を打ち込んだり、ボルトをねじ込んで柱Ｑと土台横梁Ｓの連結強度を極限まで維持できるように、複数の小孔１７を設けている。尚、柱Ｑと土台横梁Ｓには、ボルト１１をねじ込むための穴を予め設けておく。
【００２５】
耐震補強装置１の使用に際しては、図２・図３に示すように、柱当接補強部材２をボルト１１により柱Ｑと土台横梁Ｓに固定する。このとき、下側のベース部３を基礎Ｐと土台横梁Ｓとの接合部分に位置するように配置する。また、柱当接補強部材２の最下段に位置するボルト挿通孔５は、土台横梁Ｓに当接するように配置する。尚、防水性を確保するために、柱当接補強部材２と柱Ｑとの間に、防水紙を入れておくと良い。
【００２６】
基礎当接補強部材１０は、約６ｍｍの厚さを有する亜鉛メッキ鉄板（ステンレス）製の矩形板により形成されている。そして、この矩形板の片面における上端側の一部にフランジ部９を備え、フランジ部９の中央部に、接続ボルト６を挿通するための接続ボルト挿通孔４を設けている。また、基礎当接補強部材１０を、予め基礎Ｐに打ち込まれたアンカーボルト８により固定するために、矩形板に複数のアンカーボルト挿通孔７が設けられている。アンカーボルト８は、取り付けに際し、木造建築物の壁を切断せずに取り付けが可能なケミカル使用のオールアンカーを用いる。
【００２７】
基礎当接補強部材１０の取り付けは、アンカーボルト８の先端側を、基礎当接補強部材１０のアンカーボルト挿通孔７に挿通させ、ナット１５で締め付けて固定する。このとき、基礎当接補強部材１０のフランジ部９を、柱当接補強部材２のベース部３に対向するように配置させる。
【００２８】
そして、柱当接補強部材２のベース部３に設けた接続ボルト挿通孔４に、第１の緩衝部材１２Ａとして、例えば、衝撃吸収用の第１の高圧縮スプリングを介して、接続ボルト６が挿入される。また、柱当接補強部材２のベース部３に対向するように基礎Ｐに固定された基礎当接補強部材１０のフランジ部９に設けた接続ボルト挿通孔４から接続ボルト６を下方へ引き出した後、第２の緩衝部材１２Ｂとして、例えば、衝撃吸収用の第２の高圧縮スプリングを介して、接続ボルト６を複数のナット１４で締め付けて固定する。尚、柱当接補強部材２には、必要に応じて、ステンレス製のベースカバー１３を被せるものとする。
【００２９】
次に、以上のように構成された耐震補強装置１の使用・組立の一例を説明する。まず、図１に示すように、耐震補強装置１の柱当接補強部材２を、ボルト１１により柱Ｑに固定する。また、柱当接補強部材２の最下段に位置するボルト挿通孔５にボルト１１をねじ込んで、柱当接補強部材２を土台横梁Ｓに固定する。そして、柱当接補強部材２の下側のベース部３を、基礎Ｐと柱Ｑとの接合部分に配置する。
【００３０】
一方、図１に示すように、コンクリートによる基礎Ｐの複数箇所にアンカーボルト８を予め打ち込んでおき、このアンカーボルト８の先端側を基礎当接補強部材１０のアンカーボルト挿通孔７に挿通させてナット１５で締め付けることで、基礎Ｐに基礎当接補強部材１０を固定する。このとき、柱当接補強部材２のベース部３と基礎当接補強部材１０のフランジ部９は、相互の接続ボルト挿通孔４が互いに合致するように、上下方向に対向して配置される。
【００３１】
その後、図２・図３に示すように、柱当接補強部材２のベース部３に設けた接続ボルト挿通孔４に、第１の高圧縮スプリング（１２Ａ）と角座を介して、接続ボルト６を挿入する。そして、基礎当接補強部材１０のフランジ部９に設けた接続ボルト挿通孔４から接続ボルト６の先端部分を下方へ引き出した後、第２の高圧縮スプリング（１２Ｂ）を介して、複数のナット１４で接続ボルト６を締め付けて固定する。最後に、必要に応じて、柱当接補強部材２にステンレス製のベースカバー１３を被せておく。
【００３２】
尚、柱当接補強部材２の形状は、図１乃至図３に示すものに限定されることはない。例えば、図４に示すように、帯板の左側に上下二つのボルト挿通孔５を設け、この二つのボルト挿通孔５の中間位置において、帯板の右側に一つのボルト挿通孔５を設けても良い。また、帯板の下方部分においては、帯板の中央部分に、上下二つのボルト挿通孔５を設けている。このとき、帯板の最下段に位置するボルト挿通孔５は土台横梁Ｓに当接するように配置され、他のボルト挿通孔５は、柱Ｑに当接するように配置される。
【００３３】
さらに、図５に示すように、基礎当接補強部材１０と、屋根の下方に位置する通し柱を、ワイヤー１６により連結しても良い。具体的には、基礎Ｐに固定した二つの基礎当接補強部材１０と、屋根の下方に位置する通し柱の二箇所を、ワイヤー１６を交差状に配して連結するのである。ワイヤー１６と通し柱の連結は、例えば、通し柱に固定したフック金物１８を用いて行なう。また、ワイヤー１６の引っ張り力の調節は、ワイヤー１６に介在させたターンバックル１９により行なう。
【産業上の利用可能性】
【００３４】
本考案に係る耐震補強装置１は、木造建築物における支柱の頭部と横架材との組み付け箇所等にも使用することが可能であり、引き抜き力が過度に加わる梁等のあらゆる部分に広く利用することができる。
【図面の簡単な説明】
【００３５】
【図１】柱と土台横梁に固定される柱当接補強部材と、基礎に固定される基礎当接補強部材を、連結手段を介して連結する状態を説明した分解斜視図である。
【図２】柱と土台横梁に固定した柱当接補強部材と、基礎に固定した基礎当接補強部材を、柱当接補強部材のベース部と基礎当接補強部材のフランジ部が対向する状態で連結手段を介して連結した状態の斜視図である。
【図３】柱と土台横梁に固定した柱当接補強部材と、基礎に固定した基礎当接補強部材を、柱当接補強部材のベース部と基礎当接補強部材のフランジ部が対向する状態で連結手段を介して連結し、ベースカバーを被せた状態の側断面図である。
【図４】柱当接補強部材の他の形状を示した正面図である。
【図５】基礎当接補強部材と、屋根の下方に位置する通し柱を、ワイヤーにより連結した状態の正面図である。
【符号の説明】
【００３６】
Ｐ…基礎                      Ｑ…柱
Ｒ…連結手段                  Ｓ…土台横梁
１…耐震補強装置              ２…柱当接補強部材
３…ベース部                  ４…接続ボルト挿通孔
５…ボルト挿通孔              ６…接続ボルト
７…アンカーボルト挿通孔      ８…アンカーボルト
９…フランジ部              １０…基礎当接補強部材
１１…ボルト                １２Ａ…第１の緩衝部材
１２Ｂ…第２の緩衝部材          １３…ベースカバー
１４…ナット                  １５…ナット
１６…ワイヤー                １７…小孔
１８…フック金物              １９…ターンバックル
【図１】
0003105033.tif 000003
【図２】
0003105033.tif 000004
【図３】
0003105033.tif 000005
【図４】
0003105033.tif 000006
【図５】
0003105033.tif 000007